【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
ホストコンピュータ、第１記憶装置および第２記憶装置に接続可能なミラーリングシステムであって、
前記第１記憶装置に記憶されるデータを前記第２記憶装置にリビルドするリビルド処理を実行するリビルド手段と、
前記ミラーリングシステムが起動したときに前記リビルド手段によるリビルド処理が中断している場合、前記リビルド処理を自動的に再開させる制御手段と、を備え、
前記制御手段は、前記ホストコンピュータが電源オフ状態から復帰したことに基づいて前記ミラーリングシステムが起動した場合、前記ミラーリングシステムが起動した後、所定時間が経過したときに、前記リビルド処理を再開させる、ことを特徴とするミラーリングシステム。
【請求項２】
前記制御手段は、前記ホストコンピュータが省電力状態から復帰したことに基づいて前記ミラーリングシステムが起動した場合、前記ミラーリングシステムが起動した後、前記所定時間が経過する前に、前記リビルド処理を再開させる、ことを特徴とする請求項１に記載のミラーリングシステム。
【請求項３】
前記ミラーリングシステムが起動したときに前記リビルド処理が中断しているか否かを判断する判断手段をさらに備え、
前記制御手段は、前記ミラーリングシステムが起動したときに前記リビルド処理が中断していると前記判断手段が判断した場合、前記リビルド処理を自動的に再開させる、ことを特徴とする請求項１又は２に記載のミラーリングシステム。
【請求項４】
前記リビルド処理が中断した場合に、前記リビルド処理が中断したことを示す情報を保持する保持手段をさらに備え、
前記判断手段は、前記保持手段に前記リビルド処理が中断したことを示す情報が保持されているか否かによって、前記リビルド処理が中断しているか否かを判断する、ことを特徴とする請求項３に記載のミラーリングシステム。
【請求項５】
前記ホストコンピュータが省電力状態から復帰したことを示す情報を受信する受信手段をさらに備え、
前記制御手段は、前記受信手段が前記情報を受信しないで前記ミラーリングシステムが起動した場合、前記ミラーリングシステムが起動した後、所定時間が経過したときに、前記リビルド処理を再開させ、前記受信手段が前記情報を受信して前記ミラーリングシステムが起動した場合、前記ミラーリングシステムが起動した後、前記所定時間が経過する前に、前記リビルド処理を再開させる、ことを特徴とする請求項１乃至４の何れか１項の記載のミラーリングシステム。
【請求項６】
ホストコンピュータ、第１記憶装置および第２記憶装置に接続可能なミラーリングシステムの制御方法であって、
前記第１記憶装置に記憶されるデータを前記第２記憶装置にリビルドするリビルド処理を実行するリビルド工程と、
前記リビルド工程で実行される前記リビルド処理を中断する中断工程と、
前記ミラーリングシステムが起動したときに前記リビルド処理が中断している場合、前記リビルド処理を自動的に再開させる再開工程と、を有し、
前記再開工程において、前記ホストコンピュータが電源オフ状態から復帰したことに基づいて前記ミラーリングシステムが起動した場合、前記ミラーリングシステムが起動した後、所定時間が経過したときに、前記リビルド処理を再開させる、ことを特徴とするミラーリングシステムの制御方法。
【請求項７】
前記再開工程において、前記ホストコンピュータが省電力状態から復帰したことに基づいて前記ミラーリングシステムが起動した場合、前記ミラーリングシステムが起動した後、前記所定時間が経過する前に、前記リビルド処理を再開させる、ことを特徴とする請求項６に記載のミラーリングシステムの制御方法。
【請求項８】
前記ミラーリングシステムが起動したときに前記リビルド処理が中断しているか否かを判断する判断工程をさらに有し、
前記判断工程において、前記ミラーリングシステムが起動したときに前記リビルド処理が中断していると判断された場合、前記再開工程において、前記リビルド処理を自動的に再開させる、ことを特徴とする請求項６又は７に記載のミラーリングシステムの制御方法。
【請求項９】
前記リビルド処理が中断した場合に、前記リビルド処理が中断したことを示す情報を保持する保持工程をさらに有し、
前記判断工程では、前記保持工程において前記リビルド処理が中断したことを示す情報が保持されているか否かによって、前記リビルド処理が中断しているか否かを判断する、ことを特徴とする請求項８に記載のミラーリングシステムの制御方法。
【請求項１０】
前記ホストコンピュータが省電力状態から復帰したことを示す情報を受信する受信工程をさらに有し、
前記再開工程において、前記受信工程で前記情報を受信しないで前記ミラーリングシステムが起動した場合、前記ミラーリングシステムが起動した後、所定時間が経過したときに、前記リビルド処理を再開し、前記受信工程で前記情報を受信して前記ミラーリングシステムが起動した場合、前記ミラーリングシステムが起動した後、前記所定時間が経過する前に、前記リビルド処理を再開する、ことを特徴とする請求項６乃至９の何れか１項の記載のミラーリングシステムの制御方法。
【請求項１１】
ホストコンピュータ、第１記憶装置および第２記憶装置に接続可能なミラーリングシステムの制御方法をコンピュータに実行させるためのコンピュータで読み取り可能なプログラムにおいて、前記制御方法は、
前記第１記憶装置に記憶されるデータを前記第２記憶装置にリビルドするリビルド処理を実行するリビルド工程と、
前記リビルド工程で実行される前記リビルド処理を中断する中断工程と、
前記ミラーリングシステムが起動したときに前記リビルド処理が中断している場合、前記リビルド処理を自動的に再開させる再開工程と、を有し、
前記再開工程において、前記ホストコンピュータが電源オフ状態から復帰したことに基づいて前記ミラーリングシステムが起動した場合、前記ミラーリングシステムが起動した後、所定時間が経過したときに、前記リビルド処理を再開させる、ことを特徴とするプログラム。
【請求項１２】
前記再開工程において、前記ホストコンピュータが省電力状態から復帰したことに基づいて前記ミラーリングシステムが起動した場合、前記ミラーリングシステムが起動した後、前記所定時間が経過する前に、前記リビルド処理を再開させる、ことを特徴とする請求項１１に記載のプログラム。
【請求項１３】
前記制御方法は、
前記ミラーリングシステムが起動したときに前記リビルド処理が中断しているか否かを判断する判断工程をさらに有し、
前記判断工程において、前記ミラーリングシステムが起動したときに前記リビルド処理が中断していると判断された場合、前記再開工程において、前記リビルド処理を自動的に再開させる、ことを特徴とする請求項１１又は１２に記載のプログラム。
【請求項１４】
前記制御方法は、
前記リビルド処理が中断した場合に、前記リビルド処理が中断したことを示す情報を保持する保持工程をさらに有し、
前記判断工程では、前記保持工程において前記リビルド処理が中断したことを示す情報が保持されているか否かによって、前記リビルド処理が中断しているか否かを判断する、ことを特徴とする請求項１３に記載のプログラム。
【請求項１５】
前記制御方法は、
前記ホストコンピュータが省電力状態から復帰したことを示す情報を受信する受信工程をさらに有し、
前記再開工程において、前記受信工程で前記情報を受信しないで前記ミラーリングシステムが起動した場合、前記ミラーリングシステムが起動した後、所定時間が経過したときに、前記リビルド処理を再開し、前記受信工程で前記情報を受信して前記ミラーリングシステムが起動した場合、前記ミラーリングシステムが起動した後、前記所定時間が経過する前に、前記リビルド処理を再開する、ことを特徴とする請求項１１乃至１４の何れか１項の記載のプログラム。
【請求項１６】
第１記憶装置および第２記憶装置と、前記第１記憶装置および第２記憶装置に接続可能なミラーリングシステムと、前記ミラーリングシステムと接続可能なホストコンピュータとを備えた画像処理装置であって、
前記第１記憶装置に記憶されるデータを前記第２記憶装置にリビルドするリビルド処理を実行するリビルド手段と、
前記ミラーリングシステムが起動したときに前記リビルド手段によるリビルド処理が中断している場合、前記リビルド処理を自動的に再開させる制御手段と、を備え、
前記制御手段は、前記ホストコンピュータが電源オフ状態から復帰したことに基づいて前記ミラーリングシステムが起動した場合、前記ミラーリングシステムが起動した後、所定時間が経過したときに、前記リビルド処理を再開させる、ことを特徴とする画像形成装置。
【請求項１７】
前記第１記憶手段および前記第２記憶手段の少なくとも一方は、ハードディスクであることを特徴とする請求項１６に記載の画像形成装置。
【請求項１８】
ホストコンピュータ、第１記憶手段および第２記憶手段と接続可能なミラーリングシステムであって、
前記第１記憶手段に格納されるデータを前記第２記憶手段に格納するリビルド処理を実行するリビルド手段と、
前記リビルド手段によるリビルド処理が中断している状態で、前記ミラーリングシステムが第１復帰要因で起動した場合、当該ミラーリングシステムが起動した後、予め定められた時間が経過したときに、中断している前記リビルド処理を再開し、前記ミラーリングシステムが第２復帰要因で起動した場合、当該ミラーリングシステムが起動した後、前記予め定められた時間が経過する前に、前記リビルド処理を再開する制御手段と、を備えることを特徴とするミラーリングシステム。
【請求項１９】
前記第１復帰要因は、前記ホストコンピュータが電源オフ状態から復帰したことであり、前記第２復帰要因は、前記ホストコンピュータが省電力状態から復帰したことである、請求項１８に記載のミラーリングシステム。
【請求項２０】
前記ミラーリングシステムが起動したときに前記リビルド処理が中断しているか否かを判断する判断手段をさらに備え、
前記制御手段は、前記判断手段が前記ミラーリングシステムが起動したときに前記リビルド処理が中断していると判断した場合、前記リビルド処理を再開する、ことを特徴とする請求項１８又は１９に記載のミラーリングシステム。
【請求項２１】
前記リビルド処理が中断した場合に、前記リビルド処理が中断したことを示す情報を保持する保持手段をさらに備え、
前記判断手段は、前記保持手段に前記リビルド処理が中断したことを示す情報が保持されているか否かによって、前記リビルド処理が中断しているか否かを判断する、ことを特徴とする請求項２０に記載のミラーリングシステム。
【請求項２２】
前記ホストコンピュータが省電力状態から復帰したことを示す情報を受信する受信手段をさらに備え、
前記制御手段は、前記受信手段が前記情報を受信しないで前記ミラーリングシステムが起動した場合、前記ミラーリングシステムが起動した後、所定時間が経過したときに、前記リビルド処理を再開し、前記受信手段が前記情報を受信して前記ミラーリングシステムが起動した場合、前記ミラーリングシステムが起動した後、前記所定時間が経過する前に、前記リビルド処理を再開する、ことを特徴とする請求項１８乃至２１の何れか１項の記載のミラーリングシステム。
【請求項２３】
ホストコンピュータ、第１記憶手段および第２記憶手段と接続可能なミラーリングシステムの制御方法であって、
前記第１記憶手段に格納されるデータを前記第２記憶手段に格納するリビルド処理を実行するリビルド工程と、
記リビルド工程で実行される前記リビルド処理を中断する中断工程と、
前記リビルド処理が中断している状態で、前記ミラーリングシステムが第１復帰要因で起動した場合、当該ミラーリングシステムが起動した後、予め定められた時間が経過したときに、中断している前記リビルド処理を再開し、前記ミラーリングシステムが第２復帰要因で起動した場合、当該ミラーリングシステムが起動した後、前記予め定められた時間が経過する前に、前記リビルド処理を再開する再開工程と、を有することを特徴とするミラーリングシステムの制御方法。
【請求項２４】
前記第１復帰要因は、前記ホストコンピュータが電源オフ状態から復帰したことであり、前記第２復帰要因は、前記ホストコンピュータが省電力状態から復帰したことである、請求項２３に記載のミラーリングシステムの制御方法。
【請求項２５】
前記ミラーリングシステムが起動したときに前記リビルド処理が中断しているか否かを判断する判断工程をさらに有し、
前記判断工程において、前記ミラーリングシステムが起動したときに前記リビルド処理が中断していると判断された場合、前記再開工程において、前記リビルド処理を再開させる、ことを特徴とする請求項２３又は２４に記載のミラーリングシステムの制御方法。
【請求項２６】
前記リビルド処理が中断した場合に、前記リビルド処理が中断したことを示す情報を保持する保持工程をさらに有し、
前記判断工程では、前記保持工程において前記リビルド処理が中断したことを示す情報が保持されているか否かによって、前記リビルド処理が中断しているか否かを判断する、ことを特徴とする請求項２５に記載のミラーリングシステムの制御方法。
【請求項２７】
前記ホストコンピュータが省電力状態から復帰したことを示す情報を受信する受信工程をさらに有し、
前記再開工程において、前記受信工程で前記情報を受信しないで前記ミラーリングシステムが起動した場合、前記ミラーリングシステムが起動した後、所定時間が経過したときに、前記リビルド処理を再開し、前記受信工程で前記情報を受信して前記ミラーリングシステムが起動した場合、前記ミラーリングシステムが起動した後、前記所定時間が経過する前に、前記リビルド処理を再開する、ことを特徴とする請求項２３乃至２６の何れか１項の記載のミラーリングシステムの制御方法。
【請求項２８】
ホストコンピュータ、第１記憶装置および第２記憶装置に接続可能なミラーリングシステムの制御方法をコンピュータに実行させるためのコンピュータで読み取り可能なプログラムにおいて、前記制御方法は、
前記第１記憶手段に格納されるデータを前記第２記憶手段に格納するリビルド処理を実行するリビルド工程と、
記リビルド工程で実行される前記リビルド処理を中断する中断工程と、
前記リビルド処理が中断している状態で、前記ミラーリングシステムが第１復帰要因で起動した場合、当該ミラーリングシステムが起動した後、予め定められた時間が経過したときに、中断している前記リビルド処理を再開し、前記ミラーリングシステムが第２復帰要因で起動した場合、当該ミラーリングシステムが起動した後、前記予め定められた時間が経過する前に、前記リビルド処理を再開する再開工程と、を有することを特徴とするプログラム。
【請求項２９】
前記第１復帰要因は、前記ホストコンピュータが電源オフ状態から復帰したことであり、前記第２復帰要因は、前記ホストコンピュータが省電力状態から復帰したことである、請求項２８に記載のプログラム。
【請求項３０】
前記制御方法は、
前記ミラーリングシステムが起動したときに前記リビルド処理が中断しているか否かを判断する判断工程をさらに有し、
前記判断工程において、前記ミラーリングシステムが起動したときに前記リビルド処理が中断していると判断された場合、前記再開工程において、前記リビルド処理を再開させる、ことを特徴とする請求項２８又は２９に記載のプログラム。
【請求項３１】
前記制御方法は、
前記リビルド処理が中断した場合に、前記リビルド処理が中断したことを示す情報を保持する保持工程をさらに有し、
前記判断工程では、前記保持工程において前記リビルド処理が中断したことを示す情報が保持されているか否かによって、前記リビルド処理が中断しているか否かを判断する、ことを特徴とする請求項３０に記載のプログラム。
【請求項３２】
前記制御方法は、
前記ホストコンピュータが省電力状態から復帰したことを示す情報を受信する受信工程をさらに有し、
前記再開工程において、前記受信工程で前記情報を受信しないで前記ミラーリングシステムが起動した場合、前記ミラーリングシステムが起動した後、所定時間が経過したときに、前記リビルド処理を再開し、前記受信工程で前記情報を受信して前記ミラーリングシステムが起動した場合、前記ミラーリングシステムが起動した後、前記所定時間が経過する前に、前記リビルド処理を再開する、ことを特徴とする請求項２８乃至３１の何れか１項の記載のプログラム。
【請求項３３】
第１記憶装置および第２記憶装置と、前記第１記憶装置および第２記憶装置に接続可能なミラーリングシステムと、前記ミラーリングシステムと接続可能なホストコンピュータとを備えた画像処理装置であって、
前記第１記憶装置に記憶されるデータを前記第２記憶装置にリビルドするリビルド処理を実行するリビルド手段と、
前記リビルド手段によるリビルド処理が中断している状態で、前記ミラーリングシステムが第１復帰要因で起動した場合、当該ミラーリングシステムが起動した後、予め定められた時間が経過したときに、中断している前記リビルド処理を再開し、前記ミラーリングシステムが第２復帰要因で起動した場合、当該ミラーリングシステムが起動した後、前記予め定められた時間が経過する前に、前記リビルド処理を再開する制御手段と、を備えることを特徴とする画像形成装置。
【請求項３４】
前記第１記憶手段および前記第２記憶手段の少なくとも一方は、ハードディスクであることを特徴とする請求項３３に記載の画像形成装置。